(57)【要約】【課題】海や河川でも安心して使用できるストレート型携帯電話機を提供することにある。【解決手段】ストレート型携帯電話機１は、筐体２と、筐体２内に収容され、音声を入力するためのマイクロホン８と、を備える。筐体２には、マイクロホン８の音響端子となる開口部９が形成されている。ストレート型携帯電話機１は、開口部９を開放し又は閉塞するための着脱可能な防水キャップ１０を更に備えている。ストレート型携帯電話機１は、パネルスピーカFを備える。パネルスピーカFは、筐体２によって弾性的に支持されると共に、音波を発生可能な振動パネル１５と、振動パネル１５に実装接合されて電気音声信号を音響振動に変換する振動素子１８と、を有する。【選択図】図１
2012253426.tif 000002
【特許請求の範囲】
【請求項１】
筐体と、
前記筐体内に収容され、音声を入力するためのマイクロホンと、
を備え、
前記筐体には、前記マイクロホンの音響端子となる開口部が形成されており、
前記開口部を開放し又は閉塞するための着脱可能な防水キャップを更に備えた、
携帯電話機。
【請求項２】
請求項１に記載の携帯電話機であって、
前記筐体によって弾性的に支持されると共に、音波を発生可能な振動パネルと、前記振動パネルに実装接合されて電気音声信号を音響振動に変換する振動素子と、を有したパネルスピーカを更に備える、
携帯電話機。
【請求項３】
請求項２に記載の携帯電話機であって、
前記パネルスピーカは、着呼音の出力と、通話相手の音声の出力と、を兼ねる、
携帯電話機。
【発明の詳細な説明】
【技術分野】
【０００１】
本発明は、携帯電話機に関する。
【背景技術】
【０００２】
特許文献１には、マイクロホンの振動板が水に濡れるのを未然に防ぐことを目的として、水滴センサーを用いて、音響端子用の開口部を的確に塞ぐ技術が開示されている。
【０００３】
特許文献２には、ケース本体に形成されたマイクロホンの集音口をロック部材で閉塞する構成が開示されている。
【先行技術文献】
【特許文献】
【０００４】
【特許文献１】特開２００９−４４６８７号公報
【特許文献２】実開昭６０−１５５０８８号公報
【発明の概要】
【発明が解決しようとする課題】
【０００５】
このように、筐体に形成されたマイクロホンの開口部を塞ぐ技術は他にもいくつか公知となっている。しかしながら、携帯電話機の分野においては、携帯電話機はマイクロホンを介して会話することが主たる目的であるし、いつどのような状況において着呼が発生するか到底予測が付かない。このような事情から、本願出願時における技術常識としては、マイクロホンの開口部は、当然に常時開放して然るべきとの価値観しかない。
【０００６】
本願発明の目的は、このような固定観念を根底から覆す新たな思想を提供することにある。
【課題を解決するための手段】
【０００７】
本願発明の観点によれば、携帯電話機は、筐体と、前記筐体内に収容され、音声を入力するためのマイクロホンと、を備える。前記筐体には、前記マイクロホンの音響端子となる開口部が形成されている。携帯電話機は、前記開口部を開放し又は閉塞するための着脱可能な防水キャップを更に備えている。
【発明の効果】
【０００８】
本願発明によれば、前記携帯電話機を海や河川でも安心して使用できるようになる。
【図面の簡単な説明】
【０００９】
【図１】図１は、携帯電話機の斜視図である。（本実施形態）
【図２】図２は、マイク部の拡大図である。（本実施形態）
【図３】図３は、防水キャップを取り外した状態を示す図である。（本実施形態）
【図４】図４は、防水キャップの斜視図である。（本実施形態）
【図５】図５は、図１のV-V線矢視断面図である。（本実施形態）
【図６】図６は、図１のVI-VI線矢視断面図である。（本実施形態）
【発明を実施するための形態】
【００１０】
（ストレート型携帯電話機１）
図１に示すように、タッチパネル式のストレート型携帯電話機１（携帯端末、携帯電話機）は、筐体２と、スクリーン３と、マイク部５と、コネクタ部７と、によって構成されている。スクリーン３は、筐体２の前面２ａに設けられている。マイク部５は、筐体２の底面２ｂに設けられている。コネクタ部７は、筐体２の側面２ｃに設けられている。
【００１１】
（筐体２）
図３に示すように、筐体２内には、音波を電気信号に変換する変換素子としてのマイクロホン８が収容されている。即ち、マイクロホン８は、音声を入力するためのものである。筐体２の底面２ｂには、マイクロホン８の音響端子となる開口部９が形成されている。そして、図２に示すように、筐体２には、図３に示す開口部９を開放し又は閉塞するための着脱可能な防水キャップ１０が設けられている。
【００１２】
（マイク部５）
マイク部５は、開口部９が形成された筐体２と、マイクロホン８と、防水キャップ１０によって実現されている。
【００１３】
図４に示すように、防水キャップ１０は、カバー部１１と、被圧入部１２と、脱落防止部１３と、によって構成されている。カバー部１１は、開口部９を閉塞するためのものである。カバー部１１は、開口部９の開口面積よりも若干大きい面積を有する。被圧入部１２は、カバー部１１を筐体２の側面２ｃに対して密着させた防水状態に保持するためのものである。被圧入部１２が開口部９内に圧入されると、カバー部１１は、開口部９を閉塞しつつ、筐体２の側面２ｃに対して密着した防水状態に保持される。脱落防止部１３は、被圧入部１２を開口部９から抜き出したときに、カバー部１１が筐体２から離れて紛失してしまうことを防止するためのものである。脱落防止部１３の一旦はカバー部１１に接続し、他端は筐体２の側面２ｃに対して連結されている。この構成で、通話開始時には防水キャップ１０を筐体２から取り外し、通話終了時には防水キャップ１０を再び筐体２に取り付ければよい。
【００１４】
（スクリーン３）
図５及び図６に示すように、スクリーン３は、表示パネルとしてのLCD１４と、振動パネル１５と、透明圧電シート１６と、ガスケット１７と、振動素子１８と、によって構成されている。
【００１５】
振動パネル１５は、筐体２によってガスケット１７を介して弾性的に支持されると共に、音波を発生可能な透明パネルである。
【００１６】
透明圧電シート１６は、スクリーン３に対してタッチパッドとして機能を追加するための、シート状に形成された圧電素子の集合体である。
【００１７】
ガスケット１７は、例えばシリコーンエラストマーやウレタンエラストマーによって環状に形成されたものである。ガスケット１７は、振動パネル１５と筐体２の間に介在すると共に、筐体２に振動パネル１５を弾性的に支持させる。
【００１８】
振動素子１８は、振動パネル１５に実装接合されて電気音声信号を音響振動に変換するものである。
【００１９】
本実施形態においてパネルスピーカFは、図６に示すように、振動パネル１５と振動素子１８を備えて構成されている。このパネルスピーカFは、着呼音の出力と、通話相手の音声の出力と、を兼ねている。パネルスピーカFは、スクリーン３の一部として構成されている。つまり、スクリーン３は、パネルスピーカFの機能を併せ持っている。
【００２０】
以上に、本願発明の好適な実施形態を説明したが、本実施形態は、要するに、以下の特長を有している。
【００２１】
ストレート型携帯電話機１は、筐体２と、筐体２内に収容され、音声を入力するためのマイクロホン８と、を備える。筐体２には、マイクロホン８の音響端子となる開口部９が形成されている。ストレート型携帯電話機１は、開口部９を開放し又は閉塞するための着脱可能な防水キャップ１０を更に備えている。以上の構成によれば、ストレート型携帯電話機１を海や河川でも安心して使用できるようになる。即ち、ストレート型携帯電話機１は、海や河川で使用可能な耐海水防砂型携帯電話機と言うことができ、ストレート型携帯電話機１の利用シーンを効果的に広げることができる。
【００２２】
また、ストレート型携帯電話機１は、パネルスピーカFを備える。パネルスピーカFは、筐体２によって弾性的に支持されると共に、音波を発生可能な振動パネル１５と、振動パネル１５に実装接合されて電気音声信号を音響振動に変換する振動素子１８と、を有する。以上の構成によれば、防水型スピーカと同等の防水性能を発揮することができる。
【００２３】
また、パネルスピーカFは、着呼音の出力と、通話相手の音声の出力と、を兼ねている。
【符号の説明】
【００２４】
１  ストレート型携帯電話機（携帯電話機）
２  筐体
３  スクリーン
１０  防水キャップ
１５  振動パネル
１７  ガスケット
１８  振動素子
F  パネルスピーカ
【図１】
2012253426.tif 000003
【図２】
2012253426.tif 000004
【図３】
2012253426.tif 000005
【図４】
2012253426.tif 000006
【図５】
2012253426.tif 000007
【図６】
2012253426.tif 000008